(57)【要約】      （修正有）【課題】リアケースに概観不良を発生させない。【解決手段】上部筐体のリアケースと、上部筐体のリアケースと、内面側同士を対向させた状態で螺着可能な上部筐体のフロントケースと、を有し、上部筐体のリアケースは、外観の主要部を形成するための第１のリアケース８と、外面側に第１のリアケース８を載置可能な載置部が形成された第２のリアケース９と、を含み、第２のリアケース９は、前記外面側と反対側に、少なくとも１つの螺着用のボス部１０が形成され、上部筐体のフロントケースは、第２のリアケース９のボス部１０に対して螺着される。【選択図】図６
2010177899.tif 000002
【特許請求の範囲】
【請求項１】
第１の筐体部材と、
前記第１の筐体部材と、内面側同士を対向させた状態で螺着可能な第２の筐体部材と、を有し、
前記第１の筐体部材は、
外観の主要部を形成するための第１のケースと、
外面側に前記第１のケースを載置可能な載置部２１が形成された第２のケースと、を含み、
前記第２のケースは、
前記外面側の反対面側に、少なくとも１つの螺着用のボス部が形成され、
前記第２の筐体部材は、前記第２のケースのボス部に対して螺着される
携帯電子機器。
【請求項２】
前記第１のケースは、
前記第２のケースの螺着用のボス部に対向する部分に、他の部分の肉厚よりも薄い肉厚となる薄肉部を有する
請求項１記載の携帯電子機器。
【請求項３】
前記ボス部にはナット部材を配置し、
ボルト部材によって前記第２の筐体部材と螺着される
請求項１又は２に記載の携帯電子機器。
【請求項４】
前記第１のケースと前記第２のケースは、
粘着部材によって結合されている
請求項１〜３いずれか１項に記載の携帯電子機器。
【請求項５】
前記第１の筐体には表示部が配置されている
請求項１〜４いずれか１項に記載の携帯電子機器。
【請求項６】
前記第１のケースと前記第２のケースは、
樹脂成型によって形成されている
請求項１〜５いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、一方の筐体にナットを一体的に埋め込み、このナットにネジ止めすることによって、ナットが埋め込まれた一方の筐体と他方の筐体とを結合させる携帯電子機器が記載されている。
また、図１のように、上部筐体のリアケース１０５を第１のリアケース１０８及び第２のリアケース１０９から構成し、第１のリアケース１０８の一部であるボス部１１０に金属性のナット１１１を樹脂成型によって一体的に形成することも従来行われている。
【先行技術文献】
【特許文献】
【０００３】
【特許文献１】実公平３―０１１９６７号公報
【発明の概要】
【発明が解決しようとする課題】
【０００４】
しかしながら、図１のように第１リアケース１０８にボス部１１０を設けると、樹脂成型時には、先にボス部１１０に樹脂が充填され、その後にＡ部分に樹脂が充填される。
そして、樹脂の充填が遅れると、その部分だけ凹んでしまうヒケ等の外観不良が発生するおそれがある。
【０００５】
本発明の目的は、リアケースに外観不良が発生しない携帯用電子機器を提供することである。
【課題を解決するための手段】
【０００６】
本発明の携帯電子機器は、第１の筐体部材と、前記第１の筐体部材と、内面側同士を対向させた状態で螺着可能な第２の筐体部材と、を有し、前記第１の筐体部材は、外観の主要部を形成するための第１のケースと、外面側に前記第１のケースを載置可能な載置部２１が形成された第２のケースと、を含み、前記第２のケースは、前記外面側の反対面側に、少なくとも１つの螺着用のボス部が形成され、前記第２の筐体部材は、前記第２のケースのボス部に対して螺着される。
【０００７】
好適には、前記第１のケースは、前記第２のケースの螺着用のボス部に対向する部分に、他の部分の肉厚よりも薄い肉厚となる薄肉部を有する。
【０００８】
好適には、前記ボス部はナット部材を配置し、ボルト部材によって前記第２の筐体部材と螺着される。
【０００９】
好適には、前記第１のケースと前記第２のケースは、粘着部材によって結合する。
【００１０】
好適には、前記第１の筐体には表示部が配置されている。
【００１１】
好適には、前記第１のケースと前記第２のケースは、樹脂成型によって形成されている。
【発明の効果】
【００１２】
本発明によると、第１リアケースに外観不良が発生しない携帯用電子機器を提供することができる。
【図面の簡単な説明】
【００１３】
【図１】従来例を説明するための説明図である。
【図２】本発明の実施形態に係る携帯電話機１の外観を開状態で示す斜視図である。
【図３】上部筐体のリアケース５の外観図である。
【図４】図３の上部筐体のリアケース５の正面図と背面図である。
【図５】上部筐体のリアケース５の展開図である。
【図６】図４におけるＶＩ−ＶＩ断面図である。
【図７】第１のリアケース８、第２のリアケース９から構成される上部筐体のリアケース５を、上部筐体のフロントケース４と結合させる態様を説明するための説明図である。
【発明を実施するための形態】
【００１４】
図２は、本発明の実施形態に係る携帯電話機１の外観を開状態で示す斜視図である。
【００１５】
携帯電話機１は、いわゆる折り畳み式の携帯電話機１として構成されており、開状態と閉状態との間で互いに回動可能に連結された上部筐体２及び下部筐体３を有している。
図１は、上部筐体２及び下部筐体３の開状態を示している。
上部筐体２は、下部筐体３と対向する部分を構成する上部筐体のフロントケース４と、下部筐体３とは反対側部分を構成する上部筐体のリアケース５とを有している。
下部筐体３は、上部筐体２と対向する部分を構成する下部筐体フロントケース６と、上部筐体２とは反対側部分を構成する下部筐体リアケース７とを有している。
【００１６】
上部筐体のフロントケース４及び上部筐体のリアケース５はネジ等により互いに固定され、上部筐体のフロントケース４２及び上部筐体のリアケース５の間に形成された空間に種々の電子部材を収容する収容空間を構成する。
下部筐体フロントケース６及び下部筐体リアケース７もネジ等により互いに固定され、下部筐体フロントケース６及び下部筐体リアケース７の間に形成された空間に種々の電子部材を収容する収容空間を構成する。
【００１７】
これらの上部筐体のフロントケース４、上部筐体のリアケース５、下部筐体フロントケース６及び下部筐体リアケース７は、たとえば、樹脂により形成されている。
また、第１筐体フロントケースには、ＬＣＤ（液晶ディスプレイ）やＯＬＥＤ（Organic light-emitting diode（有機ＥＬ））等から構成される表示部も配置される。
【００１８】
図３は、上部筐体のリアケース５の外観図である。
【００１９】
上部筐体のリアケース５は、図３のように第１のリアケース８と第２のリアケース９を有する。
また、第１のリアケース８及び第２のリアケース９は樹脂成型によって形成されている。
上部筐体のリアケース５を構成する第１のリアケース８及び第２のリアケース９は、下部筐体３と結合する側である長手方向の一方部分には湾曲部分１８を有している。
この湾曲部分１８は携帯電話機１を開状態と閉状態とに展開・折りたたみする時に、上部筐体のリアケース５が下部筐体３と接触しないために設けられている。
そして、第１のリアケース８及び第２のリアケース９は、湾曲部分１８の間に凹み部１９を有している。この凹み部１９は上部筐体２と下部筐体３とを結合するジョイント部材が挿入されるための部分である。
【００２０】
ところで、携帯電話機１はボタン操作を行わない場合には通常閉状態を成している上に、机の上などにおかれるときには、閉状態でかつ第１のリアケース８が上になって置かれることが多い。
それゆえ、上部筐体のリアケース５の外観は、携帯電話機１の外観のうちでもっとも重要な部分の一つである。
つまり、上部筐体のリアケース５の外観は極めて重要であるのだから、その表面にわずかでもヒケ等の外観不良があることはできるだけ避ける必要がある。
【００２１】
図４は、図３の上部筐体のリアケース５の正面図と背面図である。
【００２２】
図４（ａ）は、上部筐体のリアケース５の正面図である。
第２のリアケース９は、上部筐体のリアケース５の長手方向に伸び、上部筐体のリアケース５の長手方向における左右部分に配置される規制部１５を有している。
規制部１５は上部筐体のリアケース５の長手方向の両サイドに位置し、その長手方向の長さは、上部筐体のリアケース５と同一の長さを有している。
上部筐体のリアケース５の外観上、規制部１５は上部筐体のリアケース５の短手方向の長さの約１割程度を占めており、両サイドの規制部１５を合わせると約２割程度の長さとなっている。
この規制部１５が、上部筐体のリアケース５の短手方向の位置決めをしている。
第２のリアケース９の規制部１５間には、規制部１５よりも内部方向に凹形状であり、薄肉形状の載置部２１が形成されている。
そして、この第２のリアケース９の載置部２１に第１のリアケース８が載置され、第１のリアケース８と第２のリアケース９とが結合されて上部筐体のリアケース５が形成される。
【００２３】
第２のリアケース９の規制部１５と、第１のリアケース８とは上部筐体のリアケース５の外観を形成している。
また、第２のリアケース９の規制部１５の外部側表面と、第１のリアケース８の外部側表面とは、ほぼ同一の平面を形成している。そして、同一の平面を形成することによって、上部筐体のリアケース５の表面も平面形状となっている。
【００２４】
第１のリアケース８及び第２のリアケース９は、例えば、樹脂によって形成される。この場合には、射出成型によって第１のリアケース８及び第２のリアケース９は形成される。
もっとも、必ずしも、樹脂によって形成する必要性はない。
【００２５】
図４（ｂ）は、上部筐体のリアケース５の裏面図である。
【００２６】
図４（ｂ）の裏面図では、第１のリアケース８は第２のリアケース穴部１４から一部が現れる以外には現れない。
図４（ｂ）に記載されるように、第２のリアケース９は４隅部分にボス部１０を有している。ボス部１０にはナット１１が埋め込まれている。ナット１１は、金型内の所定位置にあらかじめナットを配置した後に、樹脂を金型内に流し込んで樹脂部分とナットとを一体的に形成するインサート成型によって形成する。
もっとも、ナットはインサート成型される必要は必ずしもない。たとえば、別に作成しておいて第１のリアケース８に後から、接着材や圧入等によって組み付ける方法によることもできる。
また、ボス部は４隅に４つ設けられているが、必ずしも、４隅又は４つである必然性はない。強度的、スペース的な必要性に応じて、適宜、位置及び数等を選択することができる。
【００２７】
図５は、上部筐体のリアケース５の展開図である。
【００２８】
第１のリアケース８と第２のリアケース９とは両面テープ１２によって結合される。両面テープ１２と第１のリアケース８はほぼ同一の形状を有しており、これによって、第１のリアケース８は第２のリアケース９と隙間なく接合される。
【００２９】
両面テープ１２にも第２のリアケース９に空けられていた第２のリアケース穴部１４とほぼ同一の位置及び形状で両面テープ穴部１６が形成されている。
【００３０】
第２のリアケース９及び両面テープ１２に、第２のリアケース穴部１４及び両面テープ穴部１６が形成される理由を説明する。
まず、第１のリアケース８は光の透過率が低い材料によって形成されるが、その厚さは薄く形成されている。そして、第１のリアケース８は薄く形成されているのであるから、内部からＬＥＤ等の光を受けるとその部分が光ったように見える。
この機能を利用することによって、第１のリアケース８はユーザに情報を伝達するための表示部として利用されている。
そうすると、内部に設置されるＬＥＤ等の光を第１のリアケース８に照射させるためには、第２のリアケース９及び両面テープ１２に第２のリアケース穴部１４及び両面テープ穴部１６を形成して、内部のＬＥＤ等の光を通過させなければならないからである。
【００３１】
図６は、図４におけるＶＩ−ＶＩ断面図である。
【００３２】
図６からも分かるように、ナット１１はボス部１０によって固定され、そのボス部１０は第２のリアケース９の一部である。
そして、第１のリアケース８と第２のリアケース９とは、両面テープ１２によって固定されている。
また、第１のリアケース８は、薄肉部１７を有する。そして、この薄肉部１７は、第２のリアケース９のナット１１の位置に形成される。この薄肉部１７に対応する部分の両面テープ１２には両面テープ穴部２２が形成される。
このように、ナット１１部分の第１のリアケース８の肉厚を薄くすると、その分ナット１１部分の長さを長く設計することができる。
そして、ナット１１の長さが十分であれば、強固にナット１１を第２のリアケース９と結合することができる。
【００３３】
また、図１のようにボス部１０を第１のリアケース８に形成すると、第２筐体内部にボス部１０部分を通過させる為に穴部分を形成しなくてはならない。この穴部分を大きくとると第２のリアケース９の強度が落ちてしまう。
一方、ボス部１０はナット１１を固定する部材であり、ナット１１はボルト１３と螺着して、第２のリアケース９と上部筐体のフロントケース４と結合するための部材である。
そうすると、ボス部１０に十分な強度がないと第２のリアケース９と上部筐体のフロントケース４とを十分に結合させることができない。そこで、ボス部１０を大きく構成する必要があり、ボス部１０が大きく構成するということは前述の穴部分が大きく取る必要が生じる。
したがって、ボス部１０を第１のリアケース８に設けることは、上記の相反する効果によって設計が困難になる。
【００３４】
これに対して、ボス部１０を第２のリアケース９に形成するのならば、当然に第２のリアケース９に穴をあける必要はないのであるから第２のリアケース９の強度を低下させることはない。
さらに、第２のリアケース９に穴をあける必要はないのであるから、ボス部１０を大きく取ることができる。
そして、ボス部１０が大きくなれば、ナット１１を強固に固定することができる。そして、ナットが強固に固定されているということは、上部筐体のフロントケース４と上部筐体のリアケース５とを確実に固定することができることを意味する。
【００３５】
図６のように、第１のリアケース８ではなく第２のリアケース９にボス部１０を設ける構成とすると、第１のリアケース８の外観を害するヒケ等が生じない。
【００３６】
第１のリアケース８の外観を害するヒケ等が生じない理由を説明する。
図１のように第１のリアケース８（１０８）にボス部１０（１１１）を設ける構成において、第１のリアケース８を射出成型によって成型する場合には、射出成型機から射出される高温の樹脂はＡ部分よりも先にボス部１０（１１０）に充填されてしまう。
そうすると、Ａ部分に十分に樹脂が充填されずヒケの原因となる。また、ボス部１０（１１０）に充填された後に樹脂がＡ部分に充填されるために、樹脂の温度がわずかに下降して、他の部分の光沢と異なってしまうという事態が生じ得る。
一方、図６のように第１のリアケース８にボス部１０を設けない構成であれば、射出成型時において高温の樹脂はボス部１０に充填されることはないのであるから、このような事態は生じえない。
したがって、第１のリアケース８ではなく第２のリアケース９にボス部１０を設ける構成とすると、第１のリアケース８の外観を害するヒケ等が生じず、美しい外観の第１のリアケース８を成型することができる。
【００３７】
また、ヒケ等が生じないということは、均一に第１のリアケース８が成型されることを意味し、強度が強い第１のリアケース８を構成することができるということも同時に意味する。
一方、代わってボス部１０が形成される第２のリアケース９については、第２のリアケース９のボス部１０が形成される部分は外部に露出していないのであるから、ヒケ等が生じても問題は生じない。
【００３８】
図６のように、第１のリアケース８ではなく、第２のリアケース９にボス部１０を設けると、Ａ部分が凹んでしまうということがなくなる。
【００３９】
第１のリアケース８のＡ部分に凹みが生じない理由を説明する。
図１においては第１のリアケース８（１０８）にボス部１０（１１０）が形成されていて、このボス部１０（１１０）にナット１１（１１１）が埋め込まれている。
そして、このナット１１（１１１）は後述するボルト１３が挿入され螺着されることによって上部筐体のフロントケース４と第２のリアケース９が結合されている。
このような構成においては、ボルト１３が螺着されるとナット１１が上部筐体のフロントケース４側（図１において紙面下側）に引っ張られる。
そうすると、その力によって、Ａ部分が凹んでしまう。
また、ナット１１が第２のリアケース９に埋め込まれているということは、第１のリアケース８と第２のリアケース９とは両面テープ１２によって結合されているにすぎないことになる。
そして、そのような構成であると、第２のリアケース９が上部筐体のフロントケース４側に引っ張られても、その引っ張り力は分散し、第１のリアケース８は一か所が集中して引っ張られなくなり、第１のリアケース８にヒケ等が生じない。そうすると、それによって、美しい外観の第１のリアケース８を形成することができる。
そうすると、図１の場合に比べて図６の本発明の場合には、Ａ部分に生ずる窪み量は減少する。
【００４０】
図６のように、第１のリアケース８の固定は第２のリアケース９と両面テープ１２による接着のみとすると、第１のリアケース８を容易に交換することができる。
【００４１】
第１のリアケース８を容易に交換することができる理由を説明する。
図１においては第１のリアケース８（１０８）にボス部１０（１１０）が形成されていて、このボス部１０（１１０）にナット１１（１１１）が埋め込まれている。
そして、このナット１１（１１１）は後述するボルト１３によって固定されているのであるから、第１のリアケース８（１０８）を交換するためには、ボルト１３を回してボルト１３を外さなければならなかった。
しかし、ボルト１３は必ずしも外部に露出しているとは限らず、ボルト１３を回すには携帯電話機１を分解しなくてはならない場合も想定される。
一方、図６のようにボス部１０が第２のリアケース９にのみ形成されているのであれば、第１のリアケース８の固定は両面テープ１２によってなされる。両面テープ１２は強く引っ張れば剥がすことができるのであるから第１のリアケース８を取り換えることが容易である。
【００４２】
ところで、上部筐体のリアケース５はユーザによって常に観察される部分であるために、携帯電話機１の外観のうちでもとくに重要な部分の一つである。
そして、第１のリアケース８は上部筐体のリアケース５の中央部に配置され、その面積も大きいのであるから、第１のリアケース８の外観は重要である。
そうすると、第１のリアケース８が傷ついたりした場合に、第１のリアケース８を交換したいというユーザからの要求がある。
また、ファッション性を重視して、様々な色や模様が描かれた第１のリアケース８を定期的に交換したいという要求もある。
かかる要求を満足させる為には、第１のリアケース８は容易に取り外して、交換可能とすると都合がよい。
そこで、図６のように、ボス部１０が第２のリアケース９にのみ形成し、第１のリアケース８の固定は両面テープ１２によって行えば、第１のリアケース８を容易に取り換えることができ、上記要求を満足することができる。
【００４３】
図７は、第１のリアケース８、第２のリアケース９から構成される上部筐体のリアケース５を、上部筐体のフロントケース４と結合させる態様を説明するための説明図である。
【００４４】
図７のように上部筐体のフロントケース４に空けられた穴部分にボルト１３を貫通させ、このボルト１３を第２のリアケース９に設けられたナット１１に螺着する。これによって、上部筐体のフロントケース４と上部筐体のリアケース５は結合される。
このような結合個所は、図４からも分かるように４か所である。もっとも、その結合個所の数は任意に選択可能である。
【００４５】
また、図７では上部筐体のリアケース５の第２のリアケース９と、ボルト１３及びナット１１を用いて結合されているのは、上部筐体のフロントケース４であった。
しかしながら、上部筐体のリアケース５の第２のリアケース９と結合されているのは、必ずしも、上部筐体のフロントケース４である必要はない。
例えば、上部筐体のフロントケース４と上部筐体のリアケース５とによって形成される筐体の内部空間内に配置される内部筐体であってもよい。内部筐体とは、たとえば、板金部材に樹脂を流し込んで成型される部材である。
【００４６】
以上の実施形態によれば、上部筐体のリアケース５と、上部筐体のリアケース５と、内面側同士を対向させた状態で螺着可能な上部筐体のフロントケース４と、を有している。
そして、上部筐体のリアケース５は、外観の主要部を形成するための第１のリアケース８と、外面側に第１のリアケース８を載置可能な載置部２１が形成された第２のリアケース９と、を含んでいる。
さらに、第２のリアケース９は、前記外面側の反対面側に、少なくとも１つの螺着用のボス部１０が形成され、上部筐体のフロントケース４は、第２のリアケース９のボス部１０に対して螺着される。
この様な構成によって、ボス部１０を大きく構成することができ、上部筐体のフロントケース４と上部筐体のリアケース５とを確実に固定することができる。
そして、そのような構成であると、第２のリアケース９が上部筐体のフロントケース４側に引っ張られても、その引っ張り力は分散し、第１のリアケース８は一か所が集中して引っ張られなくなり、第１のリアケース８にヒケ等が生じない。そうすると、それによって、美しい外観の第１のリアケース８を形成することができる。
そして、そのような構成であると、第２のリアケース９が上部筐体のフロントケース４側に引っ張られても、第１のリアケース８は引っ張られず、第１のリアケース８にヒケ等が生じない。そうすると、それによって、美しい外観の第１のリアケース８を形成することができる。
さらに、第１のリアケース８を容易に取り換えることができるのであるから、第１のリアケース８が傷ついたりした場合に、第１のリアケース８の交換をすることができる。
加えて、第１のリアケース８を容易に取り換えることができるのであるから、様々な色や模様が描かれた第１のリアケース８を定期的に交換することができる。
【００４７】
また、第１のリアケース８は、第２のリアケース９の螺着用のボス部１０に対向する部分に、他の部分の肉厚よりも薄い肉厚となる薄肉部１７を有する。
このような構成によって、ボス部１０に配置される螺着部材であるボルト１１をより長く構成することができ、より強硬に螺着することが可能となる。
【００４８】
また、ボス部１０はナットを配置し、ボルト部材によって前記第２の筐体と螺着される。
このような構成によって、携帯電話機１の上部筐体のフロントケース４と上部筐体のリアケース５との結合・展開を容易に行うことができる。
【００４９】
第１のリアケース８と第２のリアケース９は、両面テープ１２によって結合されている。
このような構成によって、第１のリアケース８と第２のリアケース９とは確実に結合することができる。
さらに、第１のリアケース８に伝達される引張り力は分散されるので、Ａ部分に生ずる窪み量は減少し、第１のリアケース８の外観が良くなる。
【００５０】
上部筐体のフロントケース４には表示部が配置されている。
このような構成によって、美観が最も要求される上部筐体のリアケース５の第１のリアケース８の美観を良くすることができる。
【００５１】
第１のリアケース８と第２のリアケース９は、樹脂成型によって形成されている。
このような構成によって、第１リアケース及び第２のリアケース９を容易に構成することができる。
【００５２】
なお、以上の実施形態において、上部筐体のフロントケース４は本発明の第１筐体の一例である。
また、上部筐体のリアケース５は第２筐体の一例であり、第１のリアケース８は第１のケースの一例であり、第２のリアケース９は第２のケースの一例である。
さらにまた、両面テープ１２は粘着部材の一例であり、例えば、接着材であってもよい。
【００５３】
本発明は、以上の実施形態に限定されず、種々の態様で実施されてよい。
【００５４】
携帯電子機器は、携帯電話機１に限定されない。例えば、携帯電子機器は、ノートパソコン、ＰＤＡ、ゲーム機、カメラであってもよい。
また、携帯電子機器は、折り畳み式のものに限定されない。ケースが一体的に構成されたもの（１つのみのケース）であってもよい
【符号の説明】
【００５５】
１…携帯電話機、２…上部筐体、３…下部筐体、４…上部筐体フロントケース（第２の筐体部材）、５…上部筐体リアケース（第１の筐体部材）、６…下部筐体フロントケース、７…下部筐体リアケース、８…第１のリアケース（第１のケース）、９…第２のリアケース（第２のケース）、１０…ボス部、１１…ナット（ナット部材）、１２…両面テープ（粘着部材）、１３…ボルト（ボルト部材）、１４…第２のリアケース穴部、１５…規制部、１６…両面テープ穴部、１７…薄肉部、１８…湾曲部分、１９…凹み部、２０…表示部、２１…載置部、２２…両面テープ穴部
【図１】
2010177899.tif 000003
【図２】
2010177899.tif 000004
【図３】
2010177899.tif 000005
【図４】
2010177899.tif 000006
【図５】
2010177899.tif 000007
【図６】
2010177899.tif 000008
【図７】
2010177899.tif 000009